(57)【要約】【課題】本発明は、タッチパネル付き表示素子からなる入出力装置において、片手操作の操作性を向上することを目的とする。【解決手段】タッチパネル付き表示手段を有する入力装置において、縦長表示画面において選択可能な複数のオブジェクトを含む表示情報のうち、最上部に配置される最上部オブジェクトを表示画面の下方までスクロールしたのち固定可能な下スクロール手段を設けることにより、従来では指が届かないオブジェクトでも指が届くようになり、片手操作の操作性が向上するとともに、従来の両手操作と両立できる。【選択図】図７
2015212974.tif 000002
【特許請求の範囲】
【請求項１】
縦長表示可能なタッチパネル付き表示部を備え、
前記表示部は、
タッチ操作で選択可能なオブジェクトと、
前記選択可能なオブジェクトの中で最上部に表示され得る最上部オブジェクトと、
タッチ操作で選択可能ではなく、前記最上部オブジェクトより上部に表示され、少なくとも電池の模式図の表示を含む背景オブジェクトと、
を少なくとも表示可能である、
電子機器において利用可能な入出力方法であって、
前記表示部が、前記縦長表示において前記背景オブジェクトと前記最上部に前記最上部オブジェクトとを少なくとも表示し、
使用者の操作により下方向への移動表示指示があった場合、前記背景オブジェクトと前記最上部オブジェクトとを一緒に下方向に移動させて、前記最上部オブジェクトを片手による前記タッチ操作の可能な位置に固定表示し、
その後に使用者の操作により上方向への移動表示指示があった場合、前記固定表示された前記背景オブジェクトと前記最上部オブジェクトとを一緒に上方向に移動させて、少なくとも前記最上部オブジェクトを前記最上部に戻し、表示する、
入出力方法。
【請求項２】
請求項１に記載の入出力方法であって、
固定表示可能な位置は、手動で変更可能である、
入出力方法。
【請求項３】
縦長表示可能なタッチパネル付き表示部を備え、
前記表示部は、
タッチ操作で選択可能なオブジェクトと、
前記選択可能なオブジェクトの中で最上部に表示され得る最上部オブジェクトと、
タッチ操作で選択可能ではなく、前記最上部オブジェクトより上部に表示され、少なくとも電池の模式図の表示を含む背景オブジェクトと、
を少なくとも表示可能である電子機器であって、
前記表示部が、前記縦長表示において前記背景オブジェクトと前記最上部に前記最上部オブジェクトとを少なくとも表示し、
使用者の操作により下方向への移動表示指示があった場合、前記背景オブジェクトと前記最上部オブジェクトとを一緒に下方向に移動させて、前記最上部オブジェクトを片手による前記タッチ操作の可能な位置に固定表示し、
その後に使用者の操作により上方向への移動表示指示があった場合、前記固定表示された前記背景オブジェクトと前記最上部オブジェクトとを一緒に上方向に移動させて、少なくとも前記最上部オブジェクトを前記最上部に戻し、表示する、
電子機器。
【請求項４】
請求項３に記載の電子機器であって、
固定表示可能な位置は、手動で変更可能である、
電子機器。
【発明の詳細な説明】
【技術分野】
【０００１】
本発明は、携帯電話や携帯端末やデジタルカメラなどの電子機器及び電子機器の入出力方法に関するものである。
【背景技術】
【０００２】
従来の携帯電話や携帯端末やデジタルカメラの操作方法として、液晶パネルなどの表示素子上に配置された透明なタッチパネル、すなわち接触センサ等による操作方法がある。タッチパネル付き表示画面上に表示されたキーの位置に指が触れたことを検出し、指の接触位置から上記キーが選択されたことを検出し、上記キーの入力操作（選択または実行操作など）が行われる。
【０００３】
図１５に従来の携帯端末の入出力方法の一例を示す。タッチパネル付き表示素子上に表示されたキーを指でタッチしたときにキーの実行が行われる。
【０００４】
タッチパネル付き携帯端末のタッチパネル操作は、筐体を片手で持ち、もう一方の手の指をタッチすることにより操作を行うことが一般的である。
【０００５】
従って、片手操作では操作しにくいという課題があった。
【０００６】
特許文献１では、接触センサを携帯端末筐体の側面や背面に配置し、上記接触センサで握った手の位置を検出し、表示画面上の片手で操作しやすい位置にキーを配置することにより、片手操作の操作性が向上する。
【０００７】
また、特許文献２では、表示素子を有する上筐体が縦上方にスライドすることで下筐体のキー操作と、スライドしていないときにはタッチパネルキー操作の２つの操作が可能な携帯端末装置において、上筐体が縦にスライドしたことを検出する手段を有し、スライドしたときには下筐体のキー操作だけではなく、上筐体のタッチパネルキー操作も可能となるように、タッチパネルキーを表示画面し下部に配置するものである。
【０００８】
また、特許文献３は、上下または左右のスクロール情報がこれ以上スクロールできない端に到達したときに、さらに過剰にスクロールを行なったのち元に戻すユーザインターフェースにより直感的な操作を実現するものであるが、片手操作性を向上するものではない。
【先行技術文献】
【特許文献】
【０００９】
【特許文献１】特開２０１０−１５４０９０号公報
【特許文献２】特開２０１２−０１８６９７号公報
【特許文献３】特表２０１０−５１５９７８号公報
【発明の概要】
【発明が解決しようとする課題】
【００１０】
従来のタッチパネル付き携帯端末装置は、両手操作を前提としており、保持した手の指では届かない位置にキーが配置されているため、片手操作が困難であった。
【００１１】
また、従来の特許文献１に記載されている方法は、接触センサで検出した手の位置に応じたキー配置を行うため、片手操作性が向上するが、両手操作を行いたいときには、接触センサによるキー配置の機能をオフにする操作が必要である。また、両手操作から片手操作に移行したいときには、接触センサによるキー配置の機能をオンにする操作が必要であり、片手操作のままでオンの操作ができないといった課題があった。
【００１２】
また、従来の特許文献２に記載されている方法は、上筐体が縦配置のとき上方へスライドする携帯端末を前提としており、スライド機能が存在しないタッチパネル操作のみの携帯端末装置では、ユーザが片手操作と両手操作のどちらを行っているかを知る手段がないため、片手操作と両手操作の切り替えができない。
【００１３】
本発明は、タッチパネル付き表示素子からなる入出力装置において、片手操作と両手操作の操作性を向上することを目的とする。
【課題を解決するための手段】
【００１４】
本発明の入出力方法は、縦長表示可能なタッチパネル付き表示部を備える電子機器において利用可能な入出力方法であって、前記表示部が、縦長表示画面においてタッチ操作で選択およびスクロール表示可能な複数のオブジェクトを表示し、使用者の操作により下方向へのスクロール表示指示があった場合、前記複数のオブジェクトのうち少なくとも最上部に表示される最上部オブジェクトをスクロールさせて前記最上部オブジェクトを片手による前記タッチ操作の可能な位置に固定表示し、前記固定表示された前記最上部オブジェクトを前記表示部の最上部の表示位置にスクロールして表示する。
【００１５】
この構成により、片手操作を行いたいときには、指が届く位置にオブジェクトを配置することで片手操作が容易となる。また、従来の両手操作性を損なうこともない。また、下方向へのスクロールの後に、元の表示に戻すことができる。
【００１６】
また、本発明の入出力方法は、固定表示可能な位置は、予め手動で設定または変更可能である。
【００１７】
この構成により、片手操作時のオブジェクトの位置をユーザの要望に合った位置に設定できる。
【００１８】
また、本発明の入出力方法は、前記表示部に表示される表示情報は、前記下方向へのスクロール表示指示があった場合、下方向へのスクロール表示されない背景情報を含む。
【００１９】
この構成により、下スクロールで表示情報が必要以上に減少することを抑制できる。
【００２０】
また、本発明の入出力方法は、前記下方向へのスクロール表示指示があった場合、前記表示部は、表示情報の少なくとも一部のサイズを前記縦長表示画面上で少なくとも縦方向に縮小して表示する。
【００２１】
この構成により、下スクロールで表示情報が必要以上に減少することを抑制できる。
【００２２】
また、本発明の入出力方法は、前期表示部は、固定表示可能な位置に表示された前記最上部オブジェクトを所定時間後に前記表示部の最上部の表示位置にスクロールして表示する。
【００２３】
この構成により、下スクロール実施後所定の時間経過すると元の表示に戻すことができる。
【００２４】
また、本発明の電子機器は、縦長表示可能なタッチパネル付き表示部を備える電子機器であって、前記表示部が、縦長表示画面においてタッチ操作で選択およびスクロール表示可能な複数のオブジェクトを表示し、使用者の操作により下方向へのスクロール表示指示があった場合、前記複数のオブジェクトのうち少なくとも最上部に表示される最上部オブジェクトをスクロールさせて前記最上部オブジェクトを片手による前記タッチ操作の可能な位置に固定表示し、その後、前記固定表示された前記最上部オブジェクトを前記表示部の最上部の表示位置にスクロールして表示可能である。
【００２５】
この構成により、片手操作を行いたいときには、指が届く位置にオブジェクトを配置することで片手操作が容易となる。また、従来の両手操作性を損なうこともない。また、下方向へのスクロールの後に、元の表示に戻すことができる。
【００２６】
また、本発明の電子機器は、固定表示可能な位置は、予め手動で設定または変更可能である。
【００２７】
この構成により、片手操作時のオブジェクトの位置をユーザの要望に合った位置に設定できる。
【００２８】
また、本発明の電子機器は、前記表示部に表示される表示情報は、前記下方向へのスクロール表示指示があった場合、下方向へのスクロール表示されない背景情報を含む。
この構成により、下スクロールで表示情報が必要以上に減少することを抑制できる。
【発明の効果】
【００２９】
本発明によれば、タッチパネル付き表示素子からなる入出力装置において、片手操作の操作性を向上することを目的とする。
【図面の簡単な説明】
【００３０】
【図１】本発明の実施の形態１の携帯端末装置の片手操作の入力方法を示す図
【図２】本発明の実施の形態１の携帯端末装置の両手操作の入力方法を示す図
【図３】本発明の実施の形態１の携帯端末装置のブロック構成図
【図４】本発明の実施の形態１の入出力方法のフローチャート
【図５】本発明の実施の形態１の第一の入力キーの説明図
【図６】本発明の実施の形態１の表示画面の切り換え機能の説明図
【図７】本発明の実施の形態２の上下スクロール機能の説明図
【図８】本発明の実施の形態２の下スクロール機能の説明図
【図９】本発明の実施の形態２の上下スクロール機能のフローチャート
【図１０】本発明の実施の形態３の下スクロール機能の説明図
【図１１】本発明の実施の形態３の下スクロール機能の説明図
【図１２】本発明の実施の形態３の下スクロール機能の説明図
【図１３】本発明の実施の形態４の携帯端末装置の撮像機能を示す図
【図１４】本発明の実施の形態５の携帯端末装置の撮像機能を示す図
【図１５】従来のタッチパネル付き携帯端末装置の入出力方法の説明図
【発明を実施するための形態】
【００３１】
以下、本発明の実施の形態について、図面を用いて説明する。
【００３２】
（実施の形態１）
図１と図２は、本実施の形態１の携帯端末装置の入力方法を示す図である。
【００３３】
なお、本実施の形態１は、携帯端末装置を例に記載するが、パソコンやデジカメなどタッチパネル付き表示素子を有する入力装置を具備した電子機器であっても構わない。
【００３４】
本実施の形態１の携帯端末装置１は、タッチパネル付き表示素子２を備えている。タッチパネル付き表示素子２は、タッチパネル９と表示素子１０からなる。タッチパネル上のタッチパネルキー５に指を触れる操作等によって、タッチパネル９のキー操作を行う。
【００３５】
なお、タッチパネルキー５はタッチパネル上において指を触れることで操作できる全てのオブジェクトのことを示し、アイコンやカーソルや文字や画像なども含む。
【００３６】
また、タッチパネル付き表示素子２の外側には物理的キー６を有し、タッチパネルよりも操作しやすい機能を実行する。なお、物理的キー６は存在しなくても構わない。
【００３７】
本携帯端末装置のタッチパネル操作には、片手操作モードと両手操作モードを備える。
【００３８】
図１は片手操作モードにおける入力方法、図２は両手操作モードにおける入力方法である。
【００３９】
図１の片手操作モードについて説明する。
【００４０】
図１に示すように、片手操作モードでは、画面が縦長となる縦長表示画面で、端末下部を片手で保持した状態で、主に親指でキー操作を行うことを想定する。
【００４１】
縦長画面の上部分を上画面７、下部分を下画面８とし、下画面上に配置されたキーは全て、端末を保持した片手の親指で届くものとする。
【００４２】
図１（１）は片手操作モードに移行する前の両手操作モードの画面表示、図１（２）は片手操作モード移行後の画面表示を示す。
【００４３】
両手操作モードでは、タッチパネルの操作キーは上画面７と下画面８の両方に配置されている。
【００４４】
片手操作モードへの切り換えを行う前の両手操作モードでは、下画面８の左端及び右端に第一の入力キー３が配置されている。第一の入力キー３は、両手操作モードから片手操作モードに移行するためのキーであり、片手操作により親指が届く範囲内に配置する。
【００４５】
これにより、片手操作モードへの移行操作が両手で行う必要がなくなり、最初から片手操作のみの操作が可能となる。
【００４６】
なお、第一の入力キー３が他のキーの邪魔にならないように、下画面の端に配置した方が望ましいが、中央であっても構わない。
【００４７】
また、右手または左手の片手操作を行うことを想定し、左右両方に２つ配置したが、１つでも構わない。
【００４８】
片手で保持している親指で第一の入力キー３に触れることで、図１（２）の片手操作モードに移行する。
【００４９】
片手操作モード移行後の表示画面は図１（２）に示す。片手操作モードでは、タッチパネル操作キーが縦長表示画面の下画面８に集中していて、保持した手の親指が届く範囲にほとんどのタッチパネルキー５が配置されており、片手操作がしやすくなっている。
【００５０】
片手操作モードから両手操作モードへ移行するための第二の入力キー４は、図１（２）に示すように、上画面の上方端に配置されている。
【００５１】
第二の入力キー４を上画面に配置する理由は、下画面に配置すると片手操作に必要なタッチパネルキーのためのスペースが小さくならないようにすることと、片手操作時にユーザが誤って第二の入力キー４に触れて、ユーザが意図しない両手操作モードへ移行することを抑制するためである。
【００５２】
なお、第二の入力キー４が表示情報の邪魔にならないように、上画面の端に配置した方が望ましいが、例えば中央であっても構わない。
【００５３】
次に、片手操作モードから両手操作モードへの移行方法について図２を用いて説明する。
【００５４】
図２（１）は両手操作モードに移行する前の片手操作モードの画面表示で、図１（２）は両手操作モード移行後の画面表示を示す。
【００５５】
両手操作モードへの切り換えを行う前の片手操作モードでは、上画面に第一の入力キー３が配置されている。第一の入力キー３は、片手操作により親指が届く範囲内に配置する必要はなく、保持した手とは反対の手の指で操作する。
【００５６】
第二の入力キー４を押すと図２（２）に示す両手操作モードの画面になる。
【００５７】
両手操作モードでは、タッチパネルの操作キーは上画面７と下画面８の両方に配置されていて、第一の入力キー３は、下画面８に配置されている。
【００５８】
以上が、片手操作モードと両手操作モードの移行方法である。第一の入力キー３と第二の入力キー４の配置を上述のように異なる位置に配置することにより、モード移行の操作性が向上する。
【００５９】
図３は、本携帯端末装置の入出力装置のブロック構成図である。タッチパネル９と表示素子１０を含むタッチパネル付き表示素子２と、タッチパネル９と表示素子１０の表示方法やモードを制御する制御手段１１を有する。
【００６０】
制御手段１１は、両手操作モードと片手操作モードを切り換えるモード切り換え手段と、キーの配置や表示方法を制御する表示制御手段を有する。
【００６１】
図４は、本実施の形態の携帯端末装置の入出力方法のフローチャートを示す。
【００６２】
タッチパネル操作の表示が開始された直後、Ｓ１において、現在のモードが両手操作モードであるかどうかを判断する。
【００６３】
なお、両手操作モードか片手操作モードかどうかは、ユーザの使用履歴に依存し、表示前に設定されていた状態を保存しておく。または、新規に表示が開始された直後は常に両手操作モード（または片手操作モード）から開始しても構わない。
【００６４】
両手操作モードの場合には、第一の入力キー３を下画面に表示する。（Ｓ２）
さらに、第一の入力キー３が押されたかどうかを判断（Ｓ３）し、押されたときには片手操作モードに移行（Ｓ４）し、Ｓ１に戻る。
【００６５】
Ｓ１において両手操作モードでない場合には、第二の入力キー４を上画面に表示する（Ｓ５）。さらに、第二の入力キー４が押されたかどうかを判断（Ｓ６）し、押されたときには両手操作モードに移行（Ｓ７）し、Ｓ１に戻る。
【００６６】
表示画面上でタッチパネル操作するときには、片手操作モードと両手操作モードへ、常にどちらも移行可能としてもよいが、片手操作モードのみまたは、両手操作モードのみを想定した表示画面モードが存在しても構わない。このときには、上述の第一の入力キー３と、第二の入力キー４の表示は不要となる。
【００６７】
次に、図５に示す第一の入力キー３について述べる。
【００６８】
上述のとおり、第一の入力キー３は、両手操作モード時に片手操作モードへの移行するためのキーである。
【００６９】
両手操作モードのときに保持しているユーザの手、すなわち図５においては左手の親指などが、第一の入力キー３に誤って触れることがあると、ユーザが意図しない間に両手操作モードから片手操作モードに移行してしまうことがある。
【００７０】
これを避けるために、図５に示すようなスライド型の第一の入力キー３とする。第一の入力キー３は、斜線で示すスライド部１２を有し、スライド部を指で触れたのち、その指を下方にスライドさせることによってはじめて、第一の入力キー３の実行が行われる。
【００７１】
第一の入力キー３として上記スライド型のキーを用いることにより、ユーザが意図しない、片手操作モードへの移行が抑制できる。
【００７２】
次に、姿勢センサによる表示画面の切り替えについて説明する。
【００７３】
図６（１）に示すように、本実施の形態の携帯端末装置は、加速度センサなどからなる姿勢センサ１５を内蔵している。
【００７４】
姿勢センサ１５は携帯端末の表示画面が、重力方向に対して縦長状態か横長状態かを検出することができ、従来のタッチパネルの両手操作において、以下の縦横切り換え手段を有する。
【００７５】
すなわち、縦長状態のときには、図６（１）のように画面表示を縦長で文字が見やすいように縦表示し、横長状態のときには、図６（２）のように画面表示を横長で文字が見やすいように横表示とする。図６（１）のような縦長表示の画面を縦長表示画面１３、図６（２）のような横長表示の画面を横長表示画面１４と呼ぶ。
【００７６】
しかし、片手操作モードの場合には、横表示での操作はできないため、縦長表示画面１３と横長表示画面１４を切り換える縦横切り換え手段は不要となる。
【００７７】
また、片手操作時に端末が斜めになったときに、自動的に横長用表示状態に移行する従来の設定では、むしろ、片手操作性を劣化させる要因となる。
【００７８】
したがって、片手操作モードでは、上記の姿勢センサ１５による縦表示と横表示の切り換え機能が自動的に行われないように、この機能をオフにすることが望ましい。
【００７９】
次に、本実施の形態１の携帯端末筐体の形状について述べる。
【００８０】
なお、下記に示す携帯端末の形状でなかったとしても、片手操作モードが実現出来なくなることはないが、この形状にすることで操作性がさらに向上する。
【００８１】
図６（４）に示すように、本携帯端末装置は、筐体側面の左右の下部に窪み１６を有し、片手操作モード時のタッチパネルキーが窪みに近い部分に集中するようになっている。この窪みにより、ユーザが筐体下方を片手で保持したときに、指が窪み１６に固定されることで筐体が手から滑り落ちたり動いたりすることが少なくなり、片手操作の操作性が向上する。
【００８２】
なお、窪みは左右それぞれ複数設けても構わない。
【００８３】
次に、片手操作モードにおける、上下スクロール方法について述べる。
【００８４】
なお、下記に示す上下スクロール方法を用いなくても、片手操作モードが実現出来なくなることはないが、この上下スクロール方法により操作性がさらに向上する。
【００８５】
（実施の形態２）
実施の形態２は、実施の形態１の片手操作モードと両手操作モードを切り替える第一の入力キーや第二の入力キーがなくても片手操作性を向上するものであるが、実施の形態１と同様に第一の入力キー等を用いて操作できるようにしても構わない。
【００８６】
本実施の形態１と同様に、携帯端末装置を例に記載するが、パソコンやデジカメなどタッチパネル付き表示素子を有する入力装置を具備した電子機器であっても構わない。
【００８７】
図７（１）、（２）に従来の上下スクロール可能なスクロール表示情報が表示されている画面の表示例を示す。タッチパネルを上下方向に指を動かす（スライド操作する）ことで、スクロール表示情報を上下に移動して、上下スクロールが可能となる。
【００８８】
ここでは、最上部に位置する表示情報を第一スクロール表示情報１７、第一スクロール表示情報１７より下部の全ての表示情報を第二スクロール表示情報１８と呼ぶ。
【００８９】
なお、ここでは縦方向に並んだ上下スクロール表示情報を想定するが、上下スクロール情報の代わりに、上下画面全体に配置されているキーやアイコンや画像などのオブジェクトに関しても同様である。最上部オブジェクトを上記の第一スクロール表示情報、その他のオブジェクトを第二スクロール情報に置き換えて考えればよい。
【００９０】
以上が、従来の上下スクロール可能なスクロール表示情報が表示されている画面の表示例である。
【００９１】
従来の上下スクロールでは、最上部に位置する第一スクロール表示情報１７は、表示画面の最上部または上画面に位置したままであり、片手操作時では指が届かないため、第一スクロール表示情報１７の選択ができなかった。そのため、両手操作を行わなければならなかった。
【００９２】
そこで、第二スクロール表示情報１８と同様に、第一スクロール表示情報１７も片手で選択操作ができるように、図７（３）に示すように、第一スクロール表示情報１７が片手操作できる下画面までスクロールできる、新たな下スクロール手段及び下スクロール機能を追加する。
【００９３】
次に本発明の下スクロール機能について説明する。
【００９４】
本発明の下スクロール手段は、従来の上下スクロール手段と同様に指の上下のスライド操作で動作するものであるが、上下スクロールの第一スクロール表示情報１７が最上部に位置するときのみ動作開始できるものとする。なお、スライド操作の代わりに、キー操作や長押しやダブルタップ操作で代用してもよい。
【００９５】
図７（２）のように上下スクロールで第一スクロール表示情報が縦画面の最上部に位置していて、指がタッチパネルから離れている、すなわちタッチ操作が行われていないときに、さらに、新たなタッチ操作を開始し、指を下方向へスライド操作すると、下スクロール機能が働き、図７（３）に示すように、第一スクロール表示情報が縦画面の下方まで移動したのち、表示情報が固定される。
【００９６】
従って、例えば、従来の上下スクロールにおいて、図７（１）に示すように下方向へ上下スクロールしたのち、（２）に示すように、第一スクロール表示情報が最上部に来たときに、下スクロールは一時停止し、新たに開始したタッチ操作で下スクロールを行った場合のみ、下スクロール操作が可能になる。
【００９７】
上下スクロールで一旦停止させる理由は、従来の両手操作の操作性を損なわないようにするためである。両手操作を行っているときには、第一スクロール表示情報が最上部に留まっているほうが操作しやすいからである。
【００９８】
以上により、上下スクロール表示情報の全てが片手操作モードで選択操作が可能となる。
【００９９】
また、下スクロール操作により、表示情報が任意の位置に固定できても構わないが、一連の一回の指のスライド操作またはフリック操作が行われ、指がタッチパネルから離れた後、表示情報が所定位置へ自動的に固定されるようにしても構わない。このとき、第一スクロール表示情報は縦画面の例えば画面中央付近で固定されるものとする。
【０１００】
なお、第一スクロール表示情報が所定位置へ移動するときには、表示情報が徐々に下に動いていくアニメーションを導入することでユーザが直感的に操作状態を認識しやすくなる。
【０１０１】
これにより、ユーザが表示位置を微調整することが不要となり、操作性が向上する。
【０１０２】
なお、ユーザにより片手操作時に指が届く範囲に差があるため、上記の第一スクロール表示情報の固定位置は、ユーザが自由に設定変更できることが望ましい。
【０１０３】
図８は下スクロール後の操作を示す。下スクロールで第一スクロール表示情報が下方に固定されている状態で、図８（１）に示すように、指を上方へスライドしたときには、図８（２）に示すように、第一スクロール表示情報が最上部へ戻る。
【０１０４】
これにより、下スクロールで操作を完了したのち元の表示に戻すことが可能となる。
【０１０５】
なお、図８（１）の下スクロール後に、例えば所定時間経過したのちに自動的に図８（２）の表示に戻る機能があることが望ましい。これにより上方向のスライド操作が不要となり操作性がさらに向上するからである。
【０１０６】
ここで、所定時間とは例えば１秒から３秒程度の時間である。
【０１０７】
なお、第一スクロール表示情報が最上部へ戻るときには、表示情報が徐々に上に動くアニメーションを導入することでユーザが直感的に操作状態を認識しやすくなる。
【０１０８】
図９は従来の上下スクロール機能と上述の片手操作に適した下スクロール機能の動作のフローチャートである。
【０１０９】
従来の上下スクロール機能が開始したのち、ステップＳ１０１で新規のタッチ操作が行われたかを検出する。タッチ操作が行われない場合はＳ１０１を繰り返す。
【０１１０】
タッチ操作が開始したら、そのタッチ操作が上スライド操作であるかを判断する（Ｓ１０２）。上スライドの場合には、表示情報を上方向にスクロールする（Ｓ１０３）。なお、上下スクロール情報の最下部の情報が表示されたら、それ以上、下に表示すべき情報が存在しないため、上へのスクロールを停止する。
【０１１１】
さらに、上スライド操作が終了したかどうかを判断し（Ｓ１０４）、終了した場合にはＳ１０１に戻る。終了していない場合にはＳ１０３に戻る。
【０１１２】
Ｓ１０２において上スライド操作でない場合には、下スライド操作であるか判断する（Ｓ１０５）。下スライド操作でない場合には、Ｓ１０２に戻る。下スライド操作の場合には、タッチ操作開始直後ではない、または、上下スクロール情報の最上部の情報すなわち第一スクロール表示情報が表示されてない場合には、Ｓ１０７に進む。
【０１１３】
さらに、上下スクロール情報の最上部の情報すなわち第一スクロール表示情報が表示されてない場合には、さらに下へのスクロールが可能なため、下へのスクロールを行う（Ｓ１０８）。上下スクロール情報の最上部の情報すなわち第一スクロール表示情報が表示されている場合には、Ｓ１１１に進む。
【０１１４】
さらに、Ｓ１０８の後に、第一スクロール表示情報が最上部に表示されたかどうかを判断し（Ｓ１０９）、表示された場合には、それ以上、上に表示すべき情報が存在しないため、下へのスクロールを中止し（Ｓ１１０）、Ｓ１１１に進む。
【０１１５】
Ｓ１０９において第一スクロール表示情報が最上部に表示されていない場合には、Ｓ１１１に進む。
【０１１６】
Ｓ１１１において、スライド操作が終了したかを判断し、終了した場合にはＳ１０１に戻り、新規のスライド操作の検出を繰り返す。下スライド操作が終了していない場合にはＳ１０２に戻り、上下スクロール操作を継続する。
【０１１７】
Ｓ１０６において、タッチ操作開始直後であり、かつ、上下スクロール情報の最上部の情報すなわち第一スクロール表示情報が表示されている場合には、片手操作用の下スクロール機能を実施し、第一スクロール表示情報が画面の下方に配置されるように固定される（Ｓ１１２）。
【０１１８】
次に新規の上スライド操作が行われたかどうかを検出し（Ｓ１１３）、検出された場合には、上スクロールを実施し、第一スクロール表示情報を最上部の位置に戻す（Ｓ１１４）。
【０１１９】
Ｓ１１３において新規の上スライド操作が検出されない場合には、Ｓ１１１の下スクロールが完了した後、経過時間が所定時間以上かどうかを判断し（Ｓ１１５）、所定時間以上の場合には、上スクロールを実施し、第一スクロール表示情報を最上部の位置に戻す（Ｓ１１６）。
【０１２０】
Ｓ１１５において、所定時間を経過していない場合には、Ｓ１１３に戻る。
【０１２１】
Ｓ１１４とＳ１１６の第一スクロール表示情報を最上部の位置に戻した後は、Ｓ１０１に戻る。
【０１２２】
以上が、本発明の片手操作用の下スクロール機能の動作説明である。
【０１２３】
（実施の形態３）
実施の形態３は、キーやアイコンや画像などのオブジェクトが画面全体に配置されている場合の例であるが、実施の形態２のように上下スクロール可能なオブジェクトであっても構わない。
【０１２４】
また、本実施の形態１と同様に、携帯端末装置を例に記載するが、パソコンやデジカメなどタッチパネル付き表示素子を有する入力装置を具備した電子機器であっても構わない。
【０１２５】
図１０（１）は従来のオブジェクトが配置された表示画面の一例である。
【０１２６】
１９は選択または実行可能なオブジェクトの中で最上部に位置する最上部オブジェクト１９である。２０は選択または実行可能なオブジェクトの中で最上部に配置されていない第二オブジェクト２０である。２１は選択または実行可能ではないオブジェクトや背景画像などであり、ここでは背景情報または背景オブジェクト２１と呼ぶ。
【０１２７】
従来は、図１０（１）の画面上でオブジェクトをタッチ操作すると選択や実行が行われる。画面に表示されていないが表示可能な追加情報が存在すれば、横方向のスライド操作により表示することも可能である。
【０１２８】
ここで、画面に表示されていないが表示可能な追加情報が上下方向には存在しないと仮定する。従って、従来は上下方向にスライド操作しても新たに表示すべき情報が存在しないため、画面上の変化は何も起きない。
【０１２９】
本実施の形態では、図１０（１）の状態で下方向のスライド操作、すなわち、下スクロール手段によって片手操作用の下スクロール機能を実施すると、図１０（２）に示すように、最上部オブジェクト１９が画面の下方に移動したのち、所定の位置に固定される。これにより、片手操作でも最上部オブジェクト１９に親指が届くようになり、片手操作で最上部オブジェクトの選択が可能となる。
【０１３０】
最上部オブジェクト１９の固定位置は親指が届く範囲であれば、どこであっても構わない。例えば、４．３インチの表示素子からなる携帯端末であれば、親指が届く位置に最上部オブジェクトを配置しようとすると、縦画面の例えば約１／３の距離だけ下方向に移動させるとよい。
【０１３１】
固定位置はユーザの手の大きさにより最適な位置があるため、手動で固定位置を変更できるようにすることが望ましい。
【０１３２】
図１０（２）は、下スクロール手段により、選択可能なオブジェクトと、選択可能ではない背景オブジェクト２１が同時に下方向にスクロール移動する。移動後に発生するスペース２２には、表示すべき追加情報が存在しないため、何も表示していないが、何を表示しても構わない。
【０１３３】
図１０（２）では、下スクロールによって下方に存在していた第二オブジェクト２０の一部が表示できなくなる。
【０１３４】
図１１（１）は、下スクロール後の表示画面のその他の一例である。
【０１３５】
オブジェクトの中で上方に配置されていた上部オブジェクト２３と下方に配置されていた下部オブジェクト２４が、下スクロール後も表示できるように、下部オブジェクト２４を上下方向に縮小して表示する。
【０１３６】
ここで、下部オブジェクトとは下スクロールする前の表示情報の中で片手操作可能な位置にある表示情報を指す。
【０１３７】
これにより、下スクロールにより必要以上に表示情報が減ることを抑制することができる。
【０１３８】
図１１（１）は表示情報を上部と下部に２分割しているが、上方から下方にいくに従って徐徐に縮小するようにしても構わない。
【０１３９】
なお、下部オブジェクト２４の形状や大きさを変化させずに、オブジェクト間隔を狭くすることによって、下部オブジェクト２４の表示エリアを小さくしても構わない。
【０１４０】
また、図１１（２）に示すように、下スクロールによって、オブジェクト全体または一部を上下方向だけでなく左右方向にも縮小した縮小オブジェクト２５を表示してもよい。
【０１４１】
これにより、下スクロール後に画面端にあるオブジェクトが画面中央よりに配置されるため、指が届きやすく、片手操作性を改善できる。
【０１４２】
また、図１２に示すように、背景オブジェクト２１はそのままで、選択可能なオブジェクトである、最上部オブジェクト１９と第二オブジェクト２０のみ移動する。これにより、下スクロールにより、必要以上に表示情報が減ることを抑制することができる。
【０１４３】
（実施の形態４）
本実施の形態４は、実施の形態１の携帯端末装置に片手操作の撮像機能を有するものである。
【０１４４】
片手操作モードと両手操作モードに移行するための第一の入力キー３と第二の入力キー４の機能は、実施の形態１と同様のため説明を省略する。
【０１４５】
図１３は実施の形態２の片手操作モードにおける撮像機能を示す図である。
【０１４６】
従来のタッチパネル操作の携帯端末装置は、図１４（３）に示すように、片手で端末を保持し、もう片方の手でシャッターキーを押すことで撮影することができたが、片手操作ができなかった。
【０１４７】
図１３（１）は片手操作モードにおける撮影機能の表示画面である。
【０１４８】
片手操作モードへの移行方法は、実施の形態１で述べたものと同様で、第一の入力キー３により移行する。片手操作モードの撮影機能表示では、上画面７に撮像画像のプレビュー画像、下画面８に撮影条件設定用のタッチパネルキー５やシャッターキー２６などが配置されている。
【０１４９】
これにより、片手操作のままで撮影機能が容易に可能となる。
【０１５０】
シャッターキー２６は、図５と同様に指の移動を検出して実行操作を行うスライド型キーであり、誤ってシャッターを押すことが抑制できる。
【０１５１】
図１３（１）は横長撮影、（２）は縦長撮影を示す。カメラの画角は縦長であることが多いため、横長撮影時には図１３（１）に示すように、縦長画角から横長画角を切り出して横長撮影画面２７を表示し撮影を行う。縦長撮影では、横長撮影と同じ画角で切り出した縦長撮影画面２８を表示した撮影を行う。また、縦長撮影では、フル画角を用いた広角縦長撮影画面２９による撮影も可能である。
【０１５２】
（実施の形態５）
本実施の形態５は、実施の形態１の携帯端末装置に片手操作の横撮像機能、すなわち横長片手撮影モードを有するものである。
【０１５３】
片手操作モードと両手操作モードに移行するための第一の入力キー３と第二の入力キー４の機能は、実施の形態１と同様のため説明を省略する。
【０１５４】
図１４は実施の形態５の片手操作モードにおける横撮像機能を示す図である。
【０１５５】
従来のタッチパネル操作の携帯端末装置は、図１４（３）に示すように、片手で端末を保持し、もう片方の手でシャッターを押すことで撮影することができたが、片手操作ができなかった。
【０１５６】
図１４（１）は端末を横長で保持した状態で片手操作モードにより横撮影機能を実現するときの表示画面である。
【０１５７】
片手操作モードへの移行方法は、実施の形態１で述べたものと同様で、第一の入力キー３により移行する。
【０１５８】
片手操作モードの横撮影機能表示では、右画面に撮影用キーや第二シャッターキー３２を有するキー画面３１を備え、左画面には撮影画像のプレビュー画像を表示するプレビュー画面３０を備える。
【０１５９】
図１４（２）に示すように右手で端末右側を保持することで、プレビュー画面３０が右手に隠れることなく、右手の親指で第二シャッターキー３２の操作ができ、これにより、片手操作のままで撮影機能が容易に可能となる。
【０１６０】
第二シャッターキー３２は、図５と同様に指の移動を検出して実行操作を行うスライド型キーであり、誤ってシャッターを押すことが抑制できる。
【０１６１】
上記は端末を右手で保持することを想定したが、左手で保持するために、左画面にキー画面３１を備え、右画面にプレビュー画面３０を備えても構わない。
【産業上の利用可能性】
【０１６２】
本発明は、携帯電話や携帯端末やデジタルスチルカメラなど、タッチパネル付き表示素子を含む電子機器に用いられる入出力装置に利用可能である。
【符号の説明】
【０１６３】
１    携帯端末装置
２    タッチパネル付き表示素子
３    第一の入力キー
４    第二の入力キー
５    タッチパネルキー
６    物理的キー
７    上画面
８    下画面
９    タッチパネル
１０    表示素子
１１    制御手段
１２    スライド部
１３    縦長表示画面
１４    横長表示画面
１５    姿勢センサ
１６    窪み
１７    第一スクロール表示情報
１８    第二スクロール表示情報
１９    最上部オブジェクト
２０    第二オブジェクト
２１    背景オブジェクト
２２    スペース
２３    上部オブジェクト
２４    下部オブジェクト
２５    縮小オブジェクト
２６    シャッターキー
２７    横長撮影画面
２８    縦長撮影画面
２９    広角縦長撮影画面
３０    プレビュー画面
３１    キー画面
３２    第二シャッターキー
【図１】
2015212974.tif 000003
【図２】
2015212974.tif 000004
【図３】
2015212974.tif 000005
【図４】
2015212974.tif 000006
【図５】
2015212974.tif 000007
【図６】
2015212974.tif 000008
【図７】
2015212974.tif 000009
【図８】
2015212974.tif 000010
【図９】
2015212974.tif 000011
【図１０】
2015212974.tif 000012
【図１１】
2015212974.tif 000013
【図１２】
2015212974.tif 000014
【図１３】
2015212974.tif 000015
【図１４】
2015212974.tif 000016
【図１５】
2015212974.tif 000017